(57)【要約】【課題】  使用する秤の秤量の値以上の重量を計量する場合にもスムーズに計量作業を行うことが可能な計量支援装置を提供する。【解決手段】  計量支援装置は、計量作業の内容を特定する物品名と指示計量値の他に、使用する秤の秤量の値も記憶している。指示計量値が秤量の値より大きい場合は、当該指示計量値にかかる計量を複数回の計量に分割し、分割後の新たな指示計量値を作業者に報知する。このとき、分割後の指示計量値は秤量の値以下の重量値に設定される。【選択図】  図５
2006322763.tif 000002
【特許請求の範囲】
【請求項１】
計量対象となる物品を指定する物品識別情報と該物品の計量すべき値を表す指示計量値とからなる計量指示情報を記憶する計量指示情報記憶手段と、
計量器の秤量を記憶する秤量記憶手段と、
前記秤量記憶手段から読み出した秤量と、前記計量指示情報記憶手段から読み出した指示計量値とを比較して、前記指示計量値が前記秤量の値より大きいかどうかを判断する判断手段と、
前記判断手段が、前記指示計量値が前記秤量の値より大きいと判断した場合に、各々の値が該秤量の値以下となるように前記指示計量値を複数に分割する分割手段と、
前記分割後の指示計量値の全てを作業者に報知する報知手段と、
を設けたことを特徴とする計量支援装置。
【請求項２】
前記秤量の値に対する割合を入力する入力手段をさらに具備し、
前記分割手段は、少なくとも１つの前記分割後の指示計量値を、前記秤量の値と前記入力手段に入力された割合との積に等しい値とすることを特徴とする請求項１に記載の計量支援装置。
【請求項３】
前記分割後の各指示計量値を記憶する記憶手段と、
もとの指示計量値にかかる計量を、前記記憶手段から順次読み出した分割後の各指示計量値にかかる複数回数の計量として実行させる制御手段と、
をさらに具備し、
前記報知手段は、前記制御手段によって前記複数回数の計量のうちの１つの計量が終了する毎に次の計量にかかる分割後の指示計量値を報知することを特徴とする請求項１または請求項２に記載の計量支援装置。
【請求項４】
前記秤量記憶手段は複数の計量器の秤量を記憶しており、
前記複数の計量器の秤量の中から１の秤量を選択する選択手段をさらに具備することを特徴とする請求項１から請求項３のいずれかの項に記載の計量支援装置。
【請求項５】
物品の重量を計量する計量器と、
請求項１から請求項４のいずれかの項に記載の計量支援装置と、
から構成され、
前記計量器は、前記計量支援装置と通信可能に接続されて、計量した重量値を前記計量支援装置へ送信する送信手段を具備し、
前記計量支援装置は、前記計量器から重量値を受信する受信手段を具備することを特徴とする計量システム。
【発明の詳細な説明】
【技術分野】
【０００１】
本発明は、計量内容を作業者に指示しながら計量を行う計量支援装置、および該装置を用いた計量システムに関する。
【背景技術】
【０００２】
従来、あらかじめ計量作業の内容を計量指示情報として設定しておき、その計量指示情報にしたがって作業者が物品の重量を計量することを可能とする計量支援装置が実用化されている（例えば、特許文献１参照）。このような計量支援装置を使って計量を行う場合の手順は、一般的には次のようなものである。
まず、計量対象となる物品の物品名とその物品の計量すべき重量値（指示計量値）が記述されている作業指示ファイルをあらかじめ作成しておく。作業指示ファイルは、例えば図４のように物品名Ａ、Ｂ、Ｃ、…とそれぞれに対応する指示計量値が表形式で記述されたものである。
【０００３】
物品の計量を行う際、作業者は物品の物品名を入力したり、表示画面に表示された物品名のリストから物品を選択したりして、計量する物品を特定する。または、管理者や管理用コンピュータから、作業指示ファイルの指示番号（図４の左端列）が指定される。
すると、計量支援装置は記憶部から作業指示ファイルを読み出し、同ファイルに記録されている、作業者が特定した物品の物品名と指示計量値が表示画面に表示される。作業者は、表示された指示計量値を見ることで、どれだけの重量を計量すればよいかを知ることができる。また、指示番号による計量作業の指定の場合は、どの物品をどれだけ計量すればよいかを知ることができる。
【特許文献１】特開平１０−４８０３３号公報
【発明の開示】
【発明が解決しようとする課題】
【０００４】
ところで、作業指示ファイルに記述されている指示計量値が、計量に使用しようとしている秤の秤量（その秤で計量可能な最大の重量値のこと）の値より常に小さいとは限らない。すなわち、使用する秤の秤量を超えた重量の物品を計量するように作業指示ファイルが記述されている場合がある。
このような場合、作業者は１回の計量として指示された上記の計量を、使用する秤で計量可能な重量値での何回かの計量に分割することにより、複数回の計量を実行することになる。例えば、使用する秤の秤量が３ｋｇであり、指示計量値が８．５ｋｇであるとすると、３ｋｇの計量２回と２．５ｋｇの計量１回、合計３回の計量に分割して元の指示計量値８．５ｋｇが計量されるのである。
【０００５】
しかしながら、上記のように１回の計量を複数回に分割する際、作業者はまず使用する秤の秤量を把握しなければならず、把握ができたらその次はいかなる重量値の計量を何回行うかを計算し決定しなければならない。さらに、分割した回数が多い場合には、作業者は分割回数を記憶しあるいは紙に記録し、また分割回数のうち計量が完了した回数とまだ残っている回数を考えながら各回の計量を進めていくことが必要となる。
このように、従来の計量支援装置では、使用する秤の秤量の値以上の重量を計量する場合に、作業者自身が計量を分割するための計算や分割結果の記憶などの煩雑な付随的作業をしなければならないため、計量作業全体をスムーズに行うことができないという問題があった。
【０００６】
本発明はこの点に鑑みてなされたものであり、その目的は、使用する秤の秤量の値以上の重量を計量する場合にもスムーズに計量作業を行うことが可能な計量支援装置および該装置を用いた計量システムを提供することにある。
【課題を解決するための手段】
【０００７】
この発明は上記の課題を解決するためになされたものであり、請求項１に記載の発明は、計量対象となる物品を指定する物品識別情報と該物品の計量すべき値を表す指示計量値とからなる計量指示情報を記憶する計量指示情報記憶手段と、計量器の秤量を記憶する秤量記憶手段と、前記秤量記憶手段から読み出した秤量と、前記計量指示情報記憶手段から読み出した指示計量値とを比較して、前記指示計量値が前記秤量の値より大きいかどうかを判断する判断手段と、前記判断手段が、前記指示計量値が前記秤量の値より大きいと判断した場合に、各々の値が該秤量の値以下となるように前記指示計量値を複数に分割する分割手段と、前記分割後の指示計量値の全てを作業者に報知する報知手段と、を設けたことを特徴とする計量支援装置である。
【０００８】
請求項２に記載の発明は、請求項１に記載の計量支援装置において、前記秤量の値に対する割合を入力する入力手段をさらに具備し、前記分割手段は、少なくとも１つの前記分割後の指示計量値を、前記秤量の値と前記入力手段に入力された割合との積に等しい値とすることを特徴とする。
【０００９】
請求項３に記載の発明は、請求項１または請求項２に記載の計量支援装置において、前記分割後の各指示計量値を記憶する記憶手段と、もとの指示計量値にかかる計量を、前記記憶手段から順次読み出した分割後の各指示計量値にかかる複数回数の計量として実行させる制御手段と、をさらに具備し、前記報知手段は、前記制御手段によって前記複数回数の計量のうちの１つの計量が終了する毎に次の計量にかかる分割後の指示計量値を報知することを特徴とする。
【００１０】
請求項４に記載の発明は、請求項１から請求項３のいずれかの項に記載の計量支援装置において、前記秤量記憶手段は複数の計量器の秤量を記憶しており、前記複数の計量器の秤量の中から１の秤量を選択する選択手段をさらに具備することを特徴とする。
【００１１】
請求項５に記載の発明は、物品の重量を計量する計量器と、請求項１から請求項４のいずれかの項に記載の計量支援装置と、から構成され、前記計量器は、前記計量支援装置と通信可能に接続されて、計量した重量値を前記計量支援装置へ送信する送信手段を具備し、前記計量支援装置は、前記計量器から重量値を受信する受信手段を具備することを特徴とする計量システムである。
【発明の効果】
【００１２】
この発明によれば、使用する秤の秤量の値より大きい重量値の物品を計量する場合に、その物品の計量がその秤で計量可能な重量値での複数回の計量に分割され、分割後の指示計量値が作業者に報知されるので、作業者は自ら上記分割のための計算をする必要がなくなり、これにより計量作業の流れがスムーズになる。
また、請求項２に記載の発明によれば、上記効果の他に、秤量の値以下の任意の重量値を指定して複数回の計量に分割することが可能であることから計量の自由度を高めることができる。すなわち、例えば秤量が大きいために秤量と同じ重量の物品を手で持ち上げるのが困難な場合に効果がある。
【００１３】
さらに、請求項３に記載の発明によれば、上記のように１つの計量を複数回の計量に分割して計量を行う際に、分割にかかる複数回の計量の１つ１つが終わる毎に次の計量の指示が報知される。したがって、作業者は分割がどのように行われたとか分割後の計量の何番目を現在実行中かとかを意識する必要がなく、報知された指示にしたがって計量の操作だけを行えば済むようになるので、作業負担が軽減され、さらに計量作業の流れがスムーズになる。
また、請求項４に記載の発明によれば、複数の秤の秤量のデータが記憶されており使用する秤に応じて秤量が選択可能であるので、複数の秤を切り換えて使用するような計量支援装置にも本発明を適用することができる。
【００１４】
また、請求項５に記載の発明によれば、秤と計量支援装置が接続され、計量した重量値を計量支援装置上に表示等するような計量システムにおいても、上記と同様の効果を得ることができる。
【発明を実施するための最良の形態】
【００１５】
以下、図面を参照して、この発明の実施の形態について説明する。図１は、この発明の一実施の形態による計量支援装置１と、同装置に接続された計量器（秤）２の構成を示したブロック図である。同図に示されるように、互いに接続された計量支援装置１と秤２とによって計量システムが構築されている。なお、管理用ＰＣ（パーソナルコンピュータ）４は作業管理・各種データ管理用のコンピュータである。
図１の計量支援装置１において、ＣＰＵ１１はＲＯＭ１２上のプログラムを実行して本装置１の動作を制御する中央演算装置であり、ＲＯＭ１２は本装置１のプログラムを記憶する読み出し専用メモリであり、ＲＡＭ１３はデータの一時記憶用の随時書き込み読み出しメモリである。
【００１６】
表示駆動回路１６は、ＣＰＵ１１からの入力信号を表示部１７で表示を行うための信号に変換する回路である。
表示部１７は、本装置１を操作するためのメニューや、作業指示ファイルから読み出した指示重量値や物品名、作業者に対するメッセージ、計量中の物品の重量値、などの文字・数字・画像データを表示する液晶ディスプレイであり、報知手段として機能する。表示するデータは、ＣＰＵ１１から表示駆動回路１６を介して入力される。
【００１７】
キー入力部１８は、本装置１の操作を行うためのタッチパネルであり、表示部１７の液晶ディスプレイと一体に構成されている。このタッチパネルには数字０〜９の数字キー、小数点キー、上下左右の十字キー、決定（リターン）キー、メニュー選択キー、などが操作時の操作内容に応じて配設されるようになっている。
【００１８】
通信用Ｉ／Ｆ（インタフェース）１９は、外部の管理用ＰＣ４と接続して各種データの送受信をするためのインタフェースモジュールである。なお、本実施形態においては、通信用Ｉ／Ｆ１９を介して、管理用ＰＣ４から作業指示ファイルをダウンロードしたり、同ＰＣで作業管理等を行うため計量作業の結果を記録した作業履歴ファイルをアップロードしたりする。
秤接続部２０は、外部の秤と接続するためのインタフェースである。
【００１９】
アラーム音発生部２１は、作業者の様々な操作に対して注意を促す場合や処理の結果を報知する時などに、電子音を発生するものである。
不揮発性メモリ２２は、後述する秤量ファイルや管理用ＰＣからダウンロードした作業指示ファイルの他、本装置１の設定ファイルなどを記憶するフラッシュメモリである。
【００２０】
また、図１の計量器２は計量皿２５とロードセル２６とＡ／Ｄ変換回路２７と接続ポート２８から構成される秤である。
ロードセル２６は、金属製の起歪体と該起歪体に張り付けた歪みゲージからなる荷重センサであり、荷重がかかって起歪体が歪むと歪みゲージが変形し、変形量に応じて歪みゲージの抵抗値が変化することから荷重量を電圧値として取り出すモジュールである。計量皿２５は、計量する材料を載せる皿であり、ロードセル２６の上部に設置されて皿上に載置された材料からの荷重がロードセル２６に伝わるようになっている。
【００２１】
Ａ／Ｄ変換回路２７は、ロードセル２６から入力したアナログ信号の電圧値をデジタル信号に変換するアナログ‐デジタル変換回路である。変換後のデジタルデータは接続ポート２８を介してＣＰＵ１１に送られ、計量皿２５に載置された物品の重量として認識される。
接続ポート２８は、本計量支援装置１と接続するためのインタフェースである。
【００２２】
図２から図４は、不揮発性メモリ２２に格納されている秤量ファイル、分割割合ファイル、作業指示ファイルの一例をそれぞれ示したものである。
秤量ファイルはいくつかの秤量の値を記述した秤量記憶手段であり、実際に使用する秤の秤量がこの中から選択され秤量番号（図２左列）により指定される。
分割割合ファイルは分割割合の選択肢を記述したものである。ここで分割割合とは、計量を分割した後の新たな指示計量値を秤量の値に対してどれだけの割合の値にするかを決めるパラメータである。例えば秤量３０ｋｇに対し分割割合を０．５とすれば、新たな指示計量値は１５ｋｇとなる。
【００２３】
図４の作業指示ファイルは、計量する物品の物品名とその計量すべき重量値（指示計量値）からなる計量内容の指示情報を記述した計量指示情報記憶手段である。これらの物品名と指示計量値のデータは、作業者が計量の内容を明確に把握できるよう、計量中は表示部１７に表示されるものである。
【００２４】
次に、上述した計量システムの動作を図５に示すフローチャートを参照して説明する。
まず、計量支援装置１は表示部１７に秤量設定画面を表示して、使用する秤の秤量を設定するよう作業者に促す。この時、秤量設定画面には不揮発性メモリ２２から読み出した秤量ファイルのデータ（「秤量番号」と「秤量」）と「使用する秤の秤量を選択し、続けて番号決定キーを押してください。」というメッセージが表示される。
ここで、表示部１７は前述したようにタッチパネル（キー入力部１８）と一体に構成されており、画面上の「秤量番号」の数字部分がタッチ可能になっている。また、表示内容をスクロールさせるための上下矢印キーと番号決定キーと設定完了キーも同画面に表示され、これらのキーもタッチ可能になっている。
【００２５】
作業者が上記メッセージにしたがって計量に使用する秤に相当する秤量番号の入力を行うと、選択された秤量のデータがＲＡＭ１３に書き込まれる（ステップＳ１）。ここでは秤量３ｋｇが選択されるものとする。
【００２６】
次に、分割割合を設定するために秤量設定画面が切り換わり、不揮発性メモリ２２から読み出した分割割合ファイルのデータと「分割割合を選択し、続けて番号決定キーを押してください。」というメッセージが表示される。作業者が分割割合の入力を行うと、選択された分割割合のデータがＲＡＭ１３に書き込まれる（ステップＳ２）。ここでは分割割合「１．０」が選択されるものとする。なお、ここで入力する分割割合は、作業者が自分の好みや使い勝手に合うように任意に選択可能である。
【００２７】
上記の入力が終わり作業者が設定完了キーを押すと、ＲＡＭ１３に書き込まれた秤量の値と分割割合との積（以降、分割単位重量と称する）が計算され、その値がＲＡＭ１３に書き込まれる（ステップＳ３）。上記入力によれば、秤量３ｋｇと分割割合「１．０」とから、分割単位重量は３ｋｇとなる。
【００２８】
次に、表示部１７に計量設定画面が表示されて、作業者により計量内容の設定が行われる。この計量設定画面には、作業指示ファイル中の「指示番号」と「物品名」と「指示計量値」のデータが表示される。また、「指示番号を選択してください」というメッセージも表示される。
以下、指示番号「１」の計量を行うものとして説明する。作業者により指示番号「１」の入力が行われると、不揮発性メモリ２２内の作業指示ファイルから指示番号「１」に対応する物品名「Ａ」と指示計量値「８．５ｋｇ」のデータが読み出され、ＲＡＭ１３に書き込まれる（ステップＳ４）。
【００２９】
続いて、ＲＡＭ１３内に「一時作業指示ファイル」が作成され、このファイルの１行目に指示計量値（上記の場合８．５ｋｇ）が書き込まれる（ステップＳ５）。ここで、一時作業指示ファイルは、ステップＳ４で選択した計量にかかる指示計量値を記憶する作業用のファイルであり、当該計量が分割される場合には後述のステップにしたがって分割後の新たな指示計量値が複数行に記述されていき、当該計量が分割されない場合には本ステップＳ５で書き込まれた元の指示計量値だけが１行目に記述されたままとなる。このように、一時作業指示ファイルは分割後の各指示計量値を記憶する記憶手段として機能する。
【００３０】
次に、上記ステップＳ１とＳ４で不揮発性メモリ２２に書き込まれた秤量の値と指示計量値の大小関係がＣＰＵ１１により比較される（ステップＳ６）。指示計量値の方が大きい場合は、重量オーバーによりそのままでは計量ができないので、計量を複数回に分割するためにステップＳ７へ、また秤量の値の方が大きい場合は、直ちに計量を行うためステップＳ８へ、それぞれ進む。ここでは指示計量値「８．５ｋｇ」が秤量の値「３ｋｇ」より大きいので、ステップＳ７へ進むことになる。
【００３１】
上記の大小比較で指示計量値の方が大きい場合、以下の手順にしたがって一時作業指示ファイルを更新していくことにより、ＣＰＵ１１が指示計量値を複数に分割する（ステップＳ７）。
まず、指示計量値から分割単位重量を減算する。そして、一時作業指示ファイルの１行目（ステップＳ５で指示計量値８．５ｋｇが書き込まれている）に分割単位重量を上書きし、２行目に減算結果を書き込む。上記の数値例では、１行目に３ｋｇ、２行目に５．５ｋｇと記述されることになる。
【００３２】
次に２行目に書き込んだ減算結果と分割単位重量との大小を比較し、２行目の減算結果の方が大きければそこから再び分割単位重量を減算する。そして、一時作業指示ファイルの２行目（１回目の減算結果が書き込まれている）に分割単位重量を上書きし、３行目にここでの減算結果を書き込む。この操作を、最終行の減算結果が分割単位重量より小さくなるまで行う。
このようにして最終的に得られた一時作業指示ファイルにおいて、各行に記述された数値が分割後の各指示計量値となる。ここで上記の計算方法から明らかなように、分割後の各指示計量値は秤量の値以下であり、その合計値は元の指示計量値と等しくなる。上記の数値例では、最終的な一時作業指示ファイルは３行からなり、分割回数は３回となるが、１行目から３行目に記述された数値、３ｋｇ、３ｋｇ、２．５ｋｇが分割後の各回の指示計量値である。そして、これらの数値は秤量の値以下でありその合計値は元の指示計量値８．５ｋｇと等しくなっている。
【００３３】
次に、ＲＡＭ１３内の一時作業指示ファイルにしたがって以下の手順により計量が行われる（ステップＳ８）。
まず、ステップＳ４でＲＡＭ１３に書き込まれた物品名が呼び出される。また、一時作業指示ファイルの１行目に記述されている指示計量値も呼び出される。そして、表示部１７に図６（ａ）に示す計量実行画面が表示される。ここでは、呼び出したデータから「物品Ａを３ｋｇ計量してください。」というメッセージが表示される。
次に、ロードセル２６が荷重量の検出を開始し、計量された重量値のデータが計量支援装置１に送られ計量実行画面上にリアルタイムでデジタル表示される。
【００３４】
計量実行画面にはさらに、一時作業指示ファイルの次の行に指示計量値が記述されている場合は「次」というキーが、次の行に記述がない場合は「終」というキーが、それぞれ表示される。ここでは上述のとおり、一時作業指示ファイルには３行目まで記述があるので「次」キーが表示されることになる。
作業者が実行中の計量を完了して「次」キーを押すと、一時作業指示ファイルの２行目に記述されている指示計量値が呼び出され、計量実行画面は図６（ｂ）に切り換わって分割された２回目の計量を促すメッセージが表示される。
【００３５】
以降、同様の処理が繰り返され、一時作業指示ファイルの最後の行まで進むと、画面は図６（ｃ）のようになり、「終」キーが表示される。作業者が分割された最後の計量を完了して「終」キーを押すと、ステップＳ４で選択された１つの計量が終了する。
なお、計量実行画面の右上には、分割後の計量の総回数および現在その中の何番目の計量を実行中かということが「１／３」のように表示され、作業者が分割された計量の全体を随時把握できるようになっている。
【００３６】
こうして作業指示ファイルから読み出された（分割前の）１つの計量が終わると、さらに計量を続行するかどうかを選択するメッセージが表示され（ステップＳ９）、続行する場合にはステップＳ４以降のステップが繰り返される。
【００３７】
このように、上記の実施形態によれば、秤量の値より大きい指示計量値の計量を実行する場合に、当該計量が秤量の値より小さい指示計量値での複数回の計量に分割され、分割後の新たな指示計量値が作業者に報知されて当該複数回の計量を１つ１つ実行していくことが可能になっている。したがって、作業者は報知された指示にしたがって計量の操作だけを行えば済むようになるので、作業負担が軽減され、計量作業の流れをスムーズにすることができる。
【００３８】
また、上記の実施形態によれば、作業者は使用する秤の秤量に応じて、ステップＳ２において分割割合を自由に選ぶことで計量作業を自分のやりやすいように進めることができる。上述の説明においては、秤量が３ｋｇと小さい値であったので分割割合は「１」を選択したが、秤量が大きい場合には「１」以外の分割割合を上手く使うことが特に有効である。
例えば、秤量が３０ｋｇで指示計量値が４５ｋｇの場合に、分割割合を「１」とすれば指示計量値は３０ｋｇと１５ｋｇに分割される。すると、３０ｋｇ分の材料を一度に計量して秤から下ろす必要があるが、作業者によっては３０ｋｇという重量を持ち上げたりするのは困難であることも考えられる。このようなとき、例えば分割割合を「０．５」に選べば、指示計量値は各回１５ｋｇずつ３回の計量に分割されることになり、作業者は最大でも１５ｋｇ分の重量を上げ下げすればよくなり、作業者の腕力に拘らずこの計量支援装置１を使って計量を実行できるというメリットがある。
【００３９】
以上、図面を参照して本発明の実施形態の１つについて詳しく説明してきたが、この発明の実施の形態は上述のものに限られることはなく、発明の要旨を逸脱しない範囲内において様々な設計変更等をすることが可能である。
例えば、上述の実施形態では計量支援装置１は秤接続部２０を有しており外部に設けた秤を用いて物品の計量を行うようにしているが、計量支援装置１自体が計量部を内蔵して当該計量部により計量を行うようにしてもよい。また逆に、計量支援装置１と計量器２が接続されないで、計量支援装置１は作業者に対して物品名と指示計量値だけを指示するだけの機能を持った装置でもよい。ただしこの場合は、計量器２が表示部を有し計量中の重量値を表示できるようになっていることが前提である。
【００４０】
また、図２から図４に示した秤量ファイル、分割割合ファイル、作業指示ファイルは外部の管理用ＰＣ４からダウンロードして本装置１に入力してもよいし、キー入力部１８を用いて直接本装置１に入力や編集を行うようにしてもよい。作業指示ファイルに記述されるデータは、図３に示されるものの他、例えば納品先番号などが含まれていてもよい。
さらに、作業指示ファイルに計量許容誤差を設定しておき、実際に計量された重量値がこの計量許容誤差を超えているときはアラーム音発生部２１からアラームを発して作業者に注意を喚起するようにしてもよい。
また図４に示した作業指示ファイルでは、１つの計量指示（例えば指示番号１）は１つの物品の計量のみからなっているが、１つの計量指示に対して複数の物品の計量を行わせてこれら複数物品の配合を行うようにしてもよい。
【００４１】
また、上記実施形態のステップＳ８では、分割後の新たな指示計量値、すなわち一時作業指示ファイルに書き込まれたデータが１行毎に読み出され、計量実行画面を図６（ａ）〜（ｃ）のように順次切り換えることによって計量作業を進行させているが、一時作業指示ファイルのデータを例えば「１回目計量：３ｋｇ、２回目計量：３ｋｇ、３回目計量：２．５ｋｇ」のように一時に一画面上に表示するような形態でもよい。
【００４２】
また、表示部１７は液晶ディスプレイ以外の表示装置でもよく、例えばＬＥＤ（発光ダイオード）を使ったものでもよい。キー入力部１８は表示部１７と一体になったタッチパネルではなく、独立したボタン式の入力装置でもよい。
また、計量結果を不揮発性メモリ２２に記憶したり、管理用ＰＣ４に送信してＰＣ上で計量履歴を管理したりするようにしてもよい。
また、本装置１に印刷機能を設けて計量結果をレシートやラベルとして印刷できるようにしてもよい。
またステップＳ３において秤量の値と分割割合との積を計算する際に、積が整数値とならない場合は小数点以下の所定の桁数にて四捨五入することにより分割単位重量を決定するようにしてもよい。
【産業上の利用可能性】
【００４３】
この発明は、計量内容を作業者に指示しながら計量を行う計量支援装置および同装置を利用した計量システムに用いて好適である。
【図面の簡単な説明】
【００４４】
【図１】この発明の一実施の形態による計量支援装置と同装置に接続された秤の構成を示したブロック図である。
【図２】秤量ファイルの一例を示した図である。
【図３】分割割合ファイルの一例を示した図である。
【図４】作業指示ファイルの一例を示した図である。
【図５】この発明の一実施の形態による計量支援装置の動作を示すフローチャートである。
【図６】計量実行画面の一例である。
【符号の説明】
【００４５】
１…作業指示計量装置  ２…計量器（秤）  ４…管理用ＰＣ  １１…ＣＰＵ  １２…ＲＯＭ  １３…ＲＡＭ  １６…表示駆動回路  １７…表示部  １８…キー入力部  １９…通信用Ｉ／Ｆ  ２０…秤接続部  ２１…アラーム音発生部  ２２…不揮発性メモリ  ２５…計量皿  ２６…ロードセル  ２７…Ａ／Ｄ変換回路  ２８…接続ポート
【図１】
2006322763.tif 000003
【図２】
2006322763.tif 000004
【図３】
2006322763.tif 000005
【図４】
2006322763.tif 000006
【図５】
2006322763.tif 000007
【図６】
2006322763.tif 000008